(57)【要約】      （修正有）【課題】三次元物体の積層造形のための、これまでに比べて、特に照射構成要素の運動の順応性、精密さ、軽快な動きを顧慮して、改善された装置を提供する。【解決手段】本発明は、少なくとも一つのエネルギ光線４を用いて、連続して、層ごとに、選択的に照射することによって、またそれに伴う、造形平面１１内に形成された、固化が可能な造形材料３からなる造形材料層の固化による、三次元物体２の積層造形のための装置１に関し、この装置は造形平面１１上に向けられている、選択的に固化するための造形材料層を選択的に照射するためのエネルギ光線４を生成するための少なくとも一つの照射構成要素１０を含む照射装置９を含み、この際に少なくとも一つの照射構成要素１０が、一つの磁気的移動及び支承装置１２を用いて、少なくとも一つの運動の自由度内で、造形平面１１に対して相対的に移動可能に支承されている。【選択図】図１
2020128593.tif 000002
【特許請求の範囲】
【請求項１】
少なくとも一つのエネルギ光線（４）を用いて、連続して、層ごとに、選択的に照射することによって、またそれに伴う、造形平面（１１）内に形成された、固化が可能な造形材料（３）からなる造形材料層の固化による、三次元物体（２）の積層造形のための装置（１）であって、前記造形平面（１１）へ向けられている、選択的に固化するための造形材料層を選択的に照射するためのエネルギ光線（４）を生成するための少なくとも一つの照射構成要素（１０）を含む、照射装置（９）を含む装置において、少なくとも一つの前記照射構成要素（１０）が、一つの磁気的移動及び支承装置（１２）を用いて、少なくとも一つの運動の自由度内で、前記造形平面（１１）に対して相対的に移動可能に支承されていることを特徴とする装置。
【請求項２】
前記磁気的移動及び支承装置（１２）が少なくとも一つの、装置側のハウジング構造部（７）上に配置されているか若しくは形成されている磁気的固定構成要素（１３）と、少なくとも一つの、照射構成要素（１０）の上に配置されているか若しくは形成されている磁気的滑走構成要素（１４）とを含むことを特徴とする請求項１に記載の装置。
【請求項３】
少なくとも一つの前記磁気的固定構成要素（１３）が、少なくとも一つの、移動軌道若しくは移動平面を定義する平面状固定構成要素部分（１７）を含み、平面状固定構成要素部分が前記造形平面（１１）に対して相対的に平行及び／又は角度をもって方向付けられていることを特徴とする請求項２に記載の装置。
【請求項４】
前記平面状固定構成要素部分（１７）が少なくとも部分的に、特に完全に、平らな平面状で又は少なくとも部分的に、特に完全に、湾曲しているか若しくはアーチ状に形成されていることを特徴とする請求項３に記載の装置。
【請求項５】
少なくとも一つの平面状固定構成要素部分（１７）が前記造形平面（１１）に対して相対的に角度をもって方向付けられていて、前記平面状固定構成要素部分（１７）が前記造形平面（１１）の外側寸法を少なくとも部分的に包囲することを特徴とする請求項３又は４に記載の装置。
【請求項６】
前記造形平面（１１）の外側寸法を少なくとも部分的に、特に完全に一緒に包囲する、前記造形平面（１１）に対して相対的に角度をもって方向付けられている複数の平面状固定構成要素部分（１７）を特徴とする請求項５に記載の装置。
【請求項７】
少なくとも一つの前記平面状固定構成要素部分（１７）が、保持装置に保持装置で固定されており、前記保持装置が、前記造形平面（１１）に対して相対的に少なくとも一つの運動の自由度内で、移動可能に支承されていることを特徴とする請求項３〜６のいずれか一つに記載の装置。
【請求項８】
前記平面状固定構成要素部分（１７）がモジュール状に形成されており、このモジュール状に形成された前記平面状固定構成要素部分（１７）は、前記造形平面（１１）に対して相対的に前もって定められた少なくとも一つの配置位置で、装置側のハウジング構造部（７）に解除可能に取り付けられ得るか又は取り付けられていることを特徴とする請求項３〜７のいずれか一つに記載の装置。
【請求項９】
前記照射装置（９）が複数の照射構成要素（１０）を含み、特定の数量の、特に列状及び／又は欄状に配置されている照射構成要素（１０）が、構造的に少なくとも一つの照射構成要素群（１８、１９）にまとめられていることを特徴とする請求項３〜８のいずれか一つに記載の装置。
【請求項１０】
照射構成要素（１０）が、レーザダイオード構成要素であるか、又はレーザダイオード構成要素と連結可能か若しくは連結されている、特にレンズ形状の光学構成要素であるか、又は光学的走査装置の一部としての走査構成要素として成されているか、又は上述の要素の少なくとも一つを含むことを特徴とする請求項１〜９のいずれか一つに記載の装置。
【請求項１１】
少なくとも一つの、前記造形平面（１１）と前記磁気的移動及び支承装置（１２）との間に配置されている、前記造形平面（１１）を前記磁気的移動及び支承装置（１２）から磁気的に遮断するための遮断構成要素を特徴とする請求項１〜１０のいずれか一つに記載の装置。
【請求項１２】
少なくとも一つのエネルギ光線（４）を用いて、連続して、層ごとに、選択的に照射することによって、またそれに伴う、造形平面（１１）内に形成された、固化が可能な造形材料（３）からなる造形材料層の固化による、三次元物体（２）の積層造形のための方法において、
少なくとも一つの三次元物体（２）の積層造形のために、請求項１〜１１のいずれか一つに記載の、少なくとも一つの三次元物体（２）の積層造形のための装置（１）が使用されることを特徴とする方法。
【発明の詳細な説明】
【技術分野】
【０００１】
本発明は、少なくとも一つのエネルギ光線を用いて、連続して、層ごとに、選択的に照射することによって、またそれに伴う、造形平面内に形成された、固化が可能な造形材料からなる造形材料層の固化による、三次元物体の積層造形のための装置に関し、この装置は造形平面上に向けられている、選択的に固化するための造形材料層を選択的に照射するためのエネルギ光線を生成するための少なくとも一つの照射構成要素を含む、照射装置を含む。
【背景技術】
【０００２】
三次元物体の積層造形若しくは生成造形のためのこの種の装置は基本的に公知である。造形するべき三次元物体は、相応する装置を用いての、連続した、層ごとの、選択的な照射によって、またそれに伴う、造形平面内に連続して塗布された、固化が可能な造形材料からなる造形材料層の、造形するべき物体のそれぞれの横断面領域に対応する領域での、エネルギ光線を使った固化によって、積層的に若しくは生成的に積み上げ形成される。固化するべき造形材料層のこの連続した、選択的な、層ごとの照射及びこれに伴う固化は、幾何的形状、すなわち特にそのつど造形するべき三次元物体の層に関連付けられた横断面の幾何的形状を記述する造形データを基盤に実施される。
【０００３】
選択的に固化するべき造形材料層を選択的に照射するために、装置側に一つの照射装置が設けられている。この照射装置は一つ又は複数の照射構成要素を含み、照射構成要素は造形平面へ向けられているエネルギ光線を生成するために設けられている。
【０００４】
特に比較的大きな造形平面若しくは造形容積の場合は、対応する照射構成要素が移動可能に支承されていることが目的に適っている。しかしながら、一般的にこのために使われている技術的解決策は、例えば照射構成要素の運動の順応性、精密さ、軽快な動きを顧慮してさらに発展が必要である。
【発明の概要】
【発明が解決しようとする課題】
【０００５】
本発明の課題は、三次元物体の積層造形のための、これまでに比べて、特に照射構成要
素の運動の順応性、精密さ、軽快な動きを顧慮して、改善された装置を提供することである。
【課題を解決するための手段】
【０００６】
この課題は請求項１に記載の装置によって解決される。これに従属する請求項はこの装置の特別な実施形態に関する。さらにこの課題は請求項１２に記載された方法で解決される。
【０００７】
ここで説明されている装置は、一般的に少なくとも一つの三次元物体、すなわち例えば技術的部品若しくは技術的部品群を、固化が可能な造形材料からなる個々の造形材料層を、少なくとも一つの照射装置に属する照射構成要素から発生されたエネルギ光線を用いた、連続した、層ごとの、選択的な照射及びそれに伴う固化によって、積層造形すること若しくは生成造形することに貢献する。このエネルギ光線はレーザ光線で有り得、この装置は対応して、選択的レーザ溶融装法（ＳＬＭ法）又は選択的レーザ焼結法（ＳＬＳ法）を実施するための装置であり得る。
【０００８】
相応のエネルギ照射を用いて固化が可能な造形材料は、金属粉末、プラスチック粉末及び／又はセラミック粉末で有り得る。金属粉末、プラスチック粉末又はセラミック粉末の名の下では、さまざまな金属、プラスチック又はセラミックの粉体混合とも理解される。この場合に金属粉末は少なくとも一つの金属合金からなる粉末で有って差し支えない。
【０００９】
一つの三次元物体（以下では省略して「物体」と呼ぶ）の製造のための、そのつど固化するべき造形材料層の、連続した、層ごとの、選択的な照射、またそれに伴う、連続した、層ごとの、選択的な固化は、物体に関した造形データを基礎として実施される。相応する造形データは一般的に物体の幾何的若しくは幾何的・構造的形状を記述する。相応する造形データは、例えば造形するべき物体のＣＡＤデータであるか、若しくはそのようなものを含むことができる。
【００１０】
この装置は積層的造形プロセスを実施するために典型的に必要とするすべての機能構成要素を含む。対応する装置の機能的若しくは構造的な構築は一般的に周知であるため、以下には、ここで記述される原理の説明のために重要な、装置の機能構成要素のみを詳細に説明する。
【００１１】
ここで記述される原理の説明のために重要な、装置の第一の機能構成要素は照射装置である。この照射装置は少なくとも一つの照射構成要素を含み、照射構成要素は造形平面へ向けられている、選択的に固化するための造形材料層を選択的に照射するためのエネルギ光線を生成するために設けられている。さらに下記には、照射構成要素がとりわけ例えばレーザダイオード構成要素であるか若しくは少なくとも一つのレーザダイオード構成要素を含む照射構成要素で有り得ることが説明されている。
【００１２】
ここで記述されている原理を説明するために重要な、装置の別の機能構成要素は、磁気的移動及び支承装置（以下では省略して「磁気的支承装置」と呼ぶ）であって、磁気的支承装置は少なくとも一つの（装置側の造形チャンバ又はプロセスチャンバ内に配置されている）照射構成要素を、造形平面に対して相対的に少なくとも一つの運動の自由度内で移動可能に支承するために設けられている。この磁気的支承装置によって実現された移動可能な支承は、以下で詳細に分かるように、装置のさまざまな機能構成要素に帰属する、支承装置のさまざまな磁気的構成部分の間の磁気的相互作用に基づき、また造形平面に対して相対的に少なくとも一つの運動の自由度内で、個々の、複数の又はすべての照射構成要素の特に精密な、速やかな、及び軽快な動き、すなわち磨耗の少ない運動を許す。照射構成要素の移動は、少なくとも一つの並進軸に沿った並進的運動の自由度及び／又は少なく
とも一つの旋回軸を中心とした旋回的運動の自由度を含むことができる。造形平面に対して相対的な及び／又は少なくとも一つの別の照射構成要素に対して相対的な照射構成要素の移動の場合は、それゆえにそれは例えば一つの直線状運動軸（並進軸）に沿った直線運動及び／又は一つの回転軸（旋回軸）を中心とした回転運動で有り得る。もちろん、個々の、複数の又はすべての照射構成要素は、異なった運動の自由度内を組み合わされて移動することができる。
【００１３】
この磁気的支承装置は、それぞれの照射構成要素の、造形平面に対して相対的に、精密な、速やかな、また順応性のある配置と方向付けを許し、このことは、特に造形するべき物体が比較的複雑な幾何的形状の場合においても、比較的大きな造形平面若しくは造形容量の場合においても、できる限り高い造形部品の品質、できる限り高い造形率、並びにそれぞれの照射構成要素のできる限り均等な活用を得るために、目的に適っている。
【００１４】
この照射装置が多数の照射構成要素を含み、その際に特定の数量の照射構成要素が構造的に少なくとも一つの照射構成要素群にまとめられている場合、特に造形するべき物体に関連して、異なる照射構成要素群は相互に依存して又は無関係に移動可能で有り得る。それぞれの照射構成要素群は、特定の数量の、相対的に相互に特定の方向付けで、例えば列状及び／又は欄状に配置されている照射構成要素を含むことができる。
【００１５】
ここで説明される装置は全体として、それぞれの照射構成要素の、特に順応性のある、精密な、速やかな、また軽快な、すなわち磨耗が少ないゆえに、改善された移動を提供し、これをもって改善された装置が提供される。
【００１６】
この磁気的支承装置は、典型的には少なくとも一つの、装置側のハウジング構造部上に、すなわち特に少なくとも部分的に造形平面の上方に配置されているか又は形成されていて、それをもってハウジング構造部に帰属するところの磁気的固定構成要素（ｍａｇｎｅｔｉｓｃｈｅｓ  Ｓｔａｔｏｒｅｌｅｍｅｎｔ）と、少なくとも一つの照射構成要素上に配置されているか又は形成されていて、すなわち特に少なくとも一つの照射構成要素と運動が連結されていて、それをもって照射構成要素に帰属するところの磁気的滑走構成要素（ｍａｇｎｅｔｉｓｃｈｅ  Ｌａｅｕｆｅｒｅｌｅｍｅｎｔ）を含む。この磁気的滑走構成要素は、磁気的固定構成要素との磁気的な相互作用を介して、磁気的固定構成要素に対して相対的に移動可能に支承されている。それゆえに、それぞれの照射構成要素のこの移動可能な支承は、磁気的固定構成要素と、照射構成要素と運動が連結されている滑走構成要素との間の磁気的な相互作用によって実現される。磁気的固定構成要素のみでなく磁気的滑走構成要素も、能動的な磁気的構成要素として典型的には少なくとも一つの電磁的構成要素を含み、電磁的構成要素への電気供給のために磁気的固定構成要素及び／又は磁気的滑走構成要素は電気エネルギ供給部と接続されている。これと関連して、磁気的固定構成要素と磁気的滑走構成要素との間の電気的接続も可能である。磁気的固定構成要素と磁気的滑走構成要素との間の電気的接続は、例えば一つの電気的接続構成要素、特に電気ケーブルを使って磁気的固定構成要素と磁気的滑走構成要素との間に実現されることができる。
【００１７】
それぞれの磁気的固定構成要素若しくは滑走構成要素は二次元駆動の典型的な構成部分であり、この磁気的支承装置はそれゆえに二次元駆動として形成されているか又は少なくとも一つのそのような二次元駆動を含むことができる。
【００１８】
二次元駆動として磁気的支承装置を形成することを顧慮して、磁気的支承装置は、相応する二次元駆動を実現するために必要な若しくは目的に適った機能構成要素、すなわち例えば、磁気的滑走構成要素を磁気的固定構成要素に沿って滑走支承することを可能にする滑走支承装置、及び／又は磁気的滑走構成要素を磁気的固定構成要素に沿って（空圧式に
）浮遊支承することを可能にする（空圧式）支承装置を含むことができる。
【００１９】
少なくとも一つの磁気的固定構成要素は、典型的には少なくとも一つの、磁気的滑走構成要素のための移動軌道又は移動平面を定義する、平面状固定構成要素部分（Ｓｔａｔｏｒｅｌｅｍｅｎｔａｂｓｃｈｎｉｔｔ）を備えている。この「平面状」という概念は、平らな平面のみではなく、平らではない平面、すなわち例えば湾曲した若しくは盛り上がった面も含む。それにより、この平面状固定構成要素部分は、少なくとも部分的に、特に完全に、平らに、又は少なくとも部分的に、特に完全に、湾曲しているか若しくはアーチ状であって、すなわち特に円蓋状に形成されていることができる。
【００２０】
平面状固定構成要素部分は、造形平面に対して相対的に平行及び／又は角度をもって方向付けられていることができる。平面状固定構成要素部分を造形平面に対して相対的に平行に配置することは、その時の磁気的滑走構成要素若しくはそれと運動が連結されている照射構成要素が造形平面に対して平行に移動することを可能にし、それをもって直角な、すなわち造形平面に対して相対的に約９０°の照射角度のもとで実施される、造形平面の照射を可能にする。平面状固定構成要素部分を造形平面に対して相対的に角度をもった、すなわち例えば傾斜した配置にすることは、それぞれの磁気的滑走構成要素若しくはそれと運動が連結されている照射構成要素の移動を、造形平面に対して相対的に（明らかに）９０°より小さい角度内で可能にし、それをもって角度をもった、すなわち９０°より小さい照射角度で、特に造形平面に対して相対的に１°と８９°との間の、好ましくは１０°と８０°の間の、造形平面の照射を可能にする。
【００２１】
一般的に、それぞれの平面状固定構成要素部分の幾何的実施形態、すなわち特に形と寸法によって、及び／又はそれぞれの平面状固定構成要素部分の、造形平面に対して相対的な方向付けによって、それぞれの磁気的滑走構成要素のさまざまな移動軌道若しくは移動平面が、またそれをもって、それぞれの照射構成要素の起こり得る移動、並びにその結果として生じる照射状況を顧慮して、順応性の最大値を実現できるということが肝要である。
【００２２】
典型的には、少なくとも一つの平面状固定構成要素部分は造形平面に対して平行に方向付けられ、また造形平面の上方に配置されている。造形平面に対して平行に方向付けられ、また造形平面の上方に配置されている平面状固定構成要素部分の平面状の広がりは、この平面状固定構成要素部分が造形平面を少なくとも部分的に、場合によっては完全に覆うように選択されている。もちろん固定構成要素部分と造形平面との間には十分な大きさの距離があり、その結果磁気的固定構成要素と磁気的滑走構成要素との間の磁気的相互作用は造形平面内で形成された（磁気的若しくは磁気化可能な）造形材料層の品質に（磁気的な）影響を与えない。場合によってはこのために別個の磁気遮断構成要素、例えば適した遮断構造若しくは適した遮断材料からなる、例えば遮断金属板が設けられることができる。この装置にはそれゆえに、少なくとも一つの、造形平面と磁気的支承装置の間に配置可能な又は配置されている、造形平面を磁気的支承装置から磁気的に遮断するための遮断構成要素が属していることができる。
【００２３】
造形平面に対して相対的に角度をもって方向付けられている平面状固定構成要素部分は、少なくとも部分的に、場合によっては完全に、造形平面の外側寸法に沿って伸延し、またそれゆえに造形平面の外側寸法を少なくとも部分的に、場合によっては完全に囲むことができる。もちろん、造形平面の外側寸法を一緒に少なくとも部分的に、場合によっては完全に包囲する、造形平面に対して相対的に角度をもって方向付けられている、複数の平面状固定構成要素部分を備えることができる。それぞれの平面状固定構成要素部分の造形平面に対して相対的に角度をもった配置によって、相応する平面状固定構成要素部分で少なくとも部分的に造形平面の「取り囲み」が提供される。それぞれの平面状固定構成要素
部分上に移動可能に支承されているそれぞれの磁気的滑走構成要素若しくはそれと運動が連結されているそれぞれの照射構成要素によって、さまざまな方向及び／又はさまざまな照射角度をもっての造形平面の（同時）照射が可能である。
【００２４】
それぞれの照射構成要素の起こり得る移動と、その結果として生じる照射状況の順応性をさらに高めるために、それぞれの平面状固定構成要素部分の造形平面に対する相対的な配置と方向付けに依存することなく、平面状固定構成要素部分も造形平面に対して相対的に少なくとも一つの運動の自由度内で移動可能に支承されていることができる。このためにこの平面状固定構成要素部分は、造形平面に対して相対的に少なくとも一つの運動の自由度内で移動可能に支承されているところの、保持装置に保持装置で固定されている。相応する保持装置の運動は、少なくとも一つの並進軸に沿った並進的運動の自由度及び／又は少なくとも一つの旋回軸を中心とした旋回的運動の自由度を含むことができる。それゆえに、相応する保持装置が造形平面に対して相対的に移動する場合、それは例えば一つの直線状運動軸（並進軸）に沿った直線移動及び／又は一つの回転軸（旋回軸）を中心とした回転移動で有り得る。もちろんこの保持装置は、さまざまな運動の自由度内を組み合わされて移動可能である。
【００２５】
個々の、複数の又はすべての平面状固定構成要素部分はモジュール状に形成されていることができ、この際にこのモジュール状に形成された平面状固定構成要素部分は、造形平面に対して相対的に前もって定められた少なくとも一つの配置位置で、装置側のハウジング構造部上に解除可能に取り付けられ得るか又は取り付けられている。このハウジング構造部は、例えば、さまざまに調整された、例えば幾何的形状すなわち特に寸法と形を顧慮した、少なくとも一つの平面状固定構成要素部分を受け入れるための、挿入可能に形成されている受け入れ装置が設けられていることができる。このようにして、できる限り高い造形部品品質及び／又はできる限り高い造形率を得るために、この装置を特定の「造形作業」すなわち特定の物体の積層造形を顧慮して、個々に応じて構成することが可能になる。
【００２６】
照射構成要素は、レーザダイオード構成要素であるか、又はレーザダイオード構成要素と連結可能か若しくは連結されている、特にレンズ形状の光学構成要素であるか、又は光線屈折装置とも呼ばれるか若しくは見なされる光学的走査装置の一部としての走査構成要素であり得るか、又は上述の要素の少なくとも一つの照射構成要素を含むことができる。目的へのレーザダイオード構成要素の適合性は、その重さが僅かであることであって、その結果として照射構成要素の運動のためには比較的小さな質量が移動される。
【００２７】
それぞれのレーザダイオード構成要素及び走査構成要素は、装置側のハウジング構造部によって境界付けされ、その中で積層造形過程が実施される造形チャンバ又はプロセスチャンバの中に配置されていることができる。しかしながら、一つ又は複数のレーザダイオード構成要素は、相応する造形チャンバ又はプロセスチャンバの外に配置されることも可能である。この場合は、それぞれ少なくとも一つのレーザダイオード構成要素と光学的に連結可能又は連結されている光学的構成要素が、例えばエネルギ光線を造形平面上に集束するための光学レンズ構成要素の形で、造形又はプロセスチャンバ内に配置されている。
【００２８】
さらに本発明は、少なくとも一つのレーザ光線を用いて、固化が可能な造形材料からなる個々の造形材料層を、連続して、層ごとに、選択的に固化することによって、少なくとも一つの三次元物体を積層造形するための方法に関する。この方法は、選択的レーザ溶融装法（ＳＬＭ法）又は選択的レーザ焼結法（ＳＬＳ法）であることができる。この方法は、少なくとも一つの三次元物体の積層造形のために、説明されたような装置が使用されることを特徴とする。それゆえこの装置との関連において、上述のすべての叙述は相応してこの方法にも有効である。
【００２９】
本発明を図面の例示的実施形態を参照して詳細に説明する。
【図面の簡単な説明】
【００３０】
【図１】例示的実施形態に沿った、三次元物体の積層造形のための装置の原理図である。
【図２】例示的実施形態に沿った、三次元物体の積層造形のための装置の原理図である。
【図３】例示的実施形態に沿った、三次元物体の積層造形のための装置の原理図である。
【図４】例示的実施形態に沿った、三次元物体の積層造形のための装置の原理図である。
【図５】例示的実施形態に沿った、三次元物体の積層造形のための装置の原理図である。
【図６】例示的実施形態に沿った、三次元物体の積層造形のための装置の原理図である。
【発明を実施するための形態】
【００３１】
図１は、例示的実施形態に沿った装置１の原理図を示している。この装置１は、三次元物体２すなわち例えば技術的部品若しくは技術的部品群を、固化が可能な造形材料３からなる造形材料層を、少なくとも一つのエネルギ光線若しくはレーザ光線４を用いての、連続した、層ごとの、選択的な照射及びそれに伴う固化によって、積層造形することに貢献する。
【００３２】
固化が可能な造形材料３は金属粉末（混合）、すなわち例えばアルミニウム粉末（混合）又は鋼粉末（混合）、及び／又はプラスチック粉末（混合）、すなわち例えばポリエーテルエーテルケトン粉末（混合）、及び／又はセラミック粉末（混合）、すなわち例えば酸化アルミニウム粉末（混合）で有り得る。
【００３３】
固化するべきそれぞれの造形材料層は、水平方向に方向付けられている二重矢印５で示唆されているように、移動可能に支承されているリコータ装置６を使って、装置１のハウジング構造部７内に配置されている、装置１のプロセスチャンバ８内に形成される。典型的にはこのプロセスチャンバ８内は保護ガス環境、すなわち例えばアルゴン環境又は窒素環境が支配している。この固化するべきそれぞれの造形材料層を、連続して、層ごとに、選択的に固化することは、一つ又は複数のエネルギ光線４が、造形するべき物体２のそれぞれの層に関連付けられた横断面幾何的形状に対応する、固化するべきである造形材料層のそれぞれの特定の領域に選択的に方向付けられて（「選択的照射」）実施される。
【００３４】
それぞれのエネルギ光線４は照射装置９に属する照射構成要素１０によって生成される。対応して、一つのそれぞれの照射構成要素１０は、造形平面１１上に向けられている、選択的に固化するための造形材料層を選択的に照射するためのエネルギ光線４の生成のために設けられている。この照射構成要素１０は列状及び／又は欄状配置（「マトリクス状に」）に配置されていることができる。
【００３５】
照射構成要素１０は、場合によっては少なくとも一つの光線特性に関するパラメータ、すなわち例えばその入力若しくは出力を変化させることができる（「減光可能な」）レーザダイオード構成要素で有り得る。相応に変化が可能なレーザダイオード構成要素を介して、例えば入力及び／又は出力の変化によって、さまざまな光線特性、すなわち例えばさまざまなエネルギ密度、強度などを持つレーザ光線が生成される。対応したレーザダイオード構成要素を介して放出されたレーザ電力は、典型的には０．１と１０ワットの間の領域に有る。
【００３６】
この装置１は、照射装置９若しくはそれに属する照射構成要素１０を造形平面１１に対して相対的に移動可能に支承するために設けられている、一つの磁気的移動及び支承装置１２（以下では省略して「磁気的支承装置」と呼ぶ）を含む。磁気的支承装置１２によって実現された移動可能な支承は、装置１のさまざまな機能構成要素に属する磁気的支承装
置１２のさまざまな磁気的構成部分の間の磁気的相互作用に基づき、またこれは造形平面１１に対して相対的に少なくとも一つの運動の自由度内での、照射構成要素１０の特に精密で、速やかな、及び軽快な動き、すなわち磨耗の少ない運動を許す。照射構成要素１０の運動は、二重矢印Ｐ１で示唆されているように、少なくとも一つの並進軸に沿った並進的運動の自由度及び／又は二重矢印Ｐ２で示唆されているように、少なくとも一つの旋回軸に沿った旋回的運動の自由度を含んでいる。照射構成要素１０の運動の場合は、それゆえにそれは例えば一つの直線状運動軸（並進軸）に沿った直線運動及び／又は一つの回転軸（旋回軸）を中心とした回転運動で有り得る。例示的な並進軸若しくは運動軸は、図１内に参照のために示されている座標システム内の軸によって表されている。もちろんこの照射構成要素１０は異なった運動の自由度内を組み合わされて移動することができる。
【００３７】
この磁気的支承装置１２は、造形平面１１の上方の、装置側のハウジング構造部７上に配置されているか又は形成されている磁気的固定構成要素１３と、照射構成要素１０の上に配置されているか又は形成されている、すなわち照射構成要素１０と運動が連結されている磁気的滑走構成要素１４とを含む。磁気的固定構成要素１３及び磁気的滑走構成要素１４は磁気的に協同作業をする二次元駆動の構成要素であり、この磁気的支承装置１２はそれゆえに二次元駆動として形成されている。
【００３８】
磁気的固定構成要素１３はハウジング構造部７に帰属し、磁気的滑走構成要素１４は照射装置９若しくは照射構成要素１０に帰属する。磁気的滑走構成要素１４は磁気的固定構成要素１３との磁気的相互作用によって、固定構成要素に対して相対的に移動可能に支承されている。それゆえに照射構成要素１０の移動可能な支承は、磁気的固定構成要素１３と、照射構成要素１０と運動が連結されている磁気的滑走構成要素１４との間の磁気的相互作用で実現される。磁気的固定構成要素１３のみでなく磁気的滑走構成要素１４も、能動的な磁気的構成要素として少なくとも一つの電磁的構成要素（詳細には示されていない）を含み、典型的には電磁的構成要素への電気供給のために、この磁気的固定構成要素１３若しくはこの磁気的滑走構成要素１４は電気エネルギ供給部１５と接続されている（図２を参照）。
【００３９】
図中に明確には示されてはいないが、この磁気的支承装置１２は相応する二次元駆動を実現するために必要な若しくは目的に適った機能構成要素、すなわち例えば、磁気的滑走構成要素１４をこの磁気的固定構成要素１３に沿って滑走支承することを可能にする滑走支承装置、及び／又は磁気的滑走構成要素１４を磁気的固定構成要素１３に沿って（空圧式に）浮遊支承することを可能にする（空圧式の）支承装置を含む。
【００４０】
図２は、図１に記入されている切断線ＩＩ−ＩＩに沿って切断された、装置１のハウジング構造部７の天井方向への視野の図を示している。
【００４１】
図１、図２からはまず磁気的固定構成要素１３が平面状固定構成要素部分１７を備えていることが分かる。この平面状固定構成要素部分１７は移動平面を定義し、その移動平面中で磁気的滑走構成要素１４が移動可能である。この平面状固定構成要素部分１７は平面状（平ら）に形成されていて、また造形平面１１に対して平行に方向付けられている。平面状固定構成要素部分１７の平面状の広がりは、この平面状固定構成要素部分１７が造形平面１１を少なくとも部分的に、場合によっては完全に覆うように選択されている。平面状固定構成要素部分１７を造形平面１１に対して相対的に平行に構成することは、磁気的滑走構成要素１４若しくはそれと運動が連結されている照射構成要素１０が造形平面１１に対して平行に移動することを可能にし、それをもって直角な、すなわち造形平面１１に対して相対的に約９０°の照射角度のもとで実施される、造形平面１１の照射を可能にする。
【００４２】
さらに図２からは、破線で示されている描出で、平面状固定構成要素部分１７の寸法で定義されている移動平面内での、磁気的滑走構成要素１４の例示的出発位置から出発して、幾つかの例示的移動位置が示唆されている。すでに述べたように、磁気的滑走構成要素１４は任意の並進的及び／又は旋回的運動の自由度内を移動することができる。
【００４３】
さらに図２にからは、固定構成要素側若しくは滑走構成要素側の電磁的構成要素の電気供給のために設けられている電気エネルギ供給部１５の、考えられる得る配置を認めることができる。それが通常の電気エネルギ源、すなわち例えばそれに属する制御電子機器を伴った配電網への接続で有り得るところの電気エネルギ供給部１５は、ここでは固定構成要素側に配置されている。磁気的滑走構成要素１４のこの電気供給は、電気エネルギ供給部１５と磁気的滑走構成要素１４との間の、例えば電気接続ケーブルとして形成されている、電気的接続構成要素１６を用いて行われる。この電気的接続構成要素１６は、構造的には磁気的滑走構成要素１４の最大限の移動の自由を可能にするように形成されていて、それゆえに電気的接続構成要素１６は例えば相応に十分な順応性と長さを備えている。
【００４４】
図３は別の例示的実施形態に沿った装置１の原理図を図２に類似した図で示している。
【００４５】
図３からは、この磁気的支承装置１２が、複数の、相互に依存して、又は独立して移動可能な磁気的滑走構成要素１４を含むことができることが分かる。これは特に、照射装置９が複数の照射構成要素１０を含み、その際に特定の数量の、相対的に相互に一つの特定の方向付けで、例えば列状及び／又は欄状に配置されている照射構成要素１０が、構造的に一つの（第一の）照射構成要素群１８にまとめられ、また特定の数量の、相対的に相互に一つの特定の方向付けで、例えば列状及び／又は欄状に配置されている照射構成要素１０が構造的に別の照射構成要素群１９にまとめられているという場合のためである。すでに述べたように、それぞれの磁気的滑走構成要素１４は相互に依存して、又は独立して移動することができ、それゆえ、それぞれの照射構成要素群１８、１０は相互に依存して、又は独立して移動され得る。
【００４６】
図４は別の例示的実施形態に沿った装置１の原理図を示している。
【００４７】
これまでの図に示されていた例示的実施形態に対しての一般的な違いとして、ここでは磁気的支承装置１２は、それぞれに帰属する磁気的滑走構成要素１４を持つ、複数の磁気的固定構成要素１３を含んでいる。加えて、これまでの図に示されていた例示的実施形態に対しての特別な違いとして、角度のある、すなわち造形平面１１に対して相対的に垂直に方向付けられている磁気的固定構成要素１３若しくは平面状固定構成要素部分１７が存在することである。もちろん造形平面１１に対して相対的に角度をもって方向付けられているただ一つの磁気的固定構成要素１３を設けることも可能である。対応して、造形平面１１に対して相対的に角度をもって方向付けられている平面状固定構成要素部分１７は、場合によっては完全に造形平面１１の外側寸法に沿って伸延し、またそれゆえに場合によっては造形平面１１を完全に包囲することができる。もちろんこのために複数の、造形平面１１に対して相対的に角度をもって方向付けられている平面状固定構成要素部分１７が存在する。
【００４８】
それぞれの平面状固定構成要素部分１７を造形平面１１対して相対的に角度をもって配置することは、それぞれの磁気的滑走構成要素１４若しくはそれと運動が連結されている照射構成要素１０の（並進的）移動を、造形平面１１に対して相対的に（明らかに）９０°より小さい、さまざまな角度αで可能にし、それをもって（並進的に）角度をもった、すなわち照射角度αが９０°より小さい、特に造形平面１１に対して相対的に１°と８９°との間の、好ましくは１０°と８０°の間の造形平面の照射を可能にする。磁気的滑走構成要素１４の例示的移動は（水平及び垂直）の二重矢印で示唆されている。
【００４９】
図５は別の例示的実施形態に沿った装置１の原理図を示している。
【００５０】
図４に示されていた例示的実施形態とは異なり、造形平面１１に対して相対的に角度をもって傾斜して方向付けられている磁気的固定構成要素１３若しくは平面状固定構成要素部分１７が存在する。もちろん造形平面１１に対して相対的に角度をもって傾けて方向付けられている磁気的固定構成要素１３を一つだけ設けることも可能である。それぞれの平面状固定構成要素部分１７を造形平面１１に対して相対的に角度をもって傾けて配置することは、それぞれの磁気的滑走構成要素１４若しくはそれと運動が連結されている照射構成要素１０の移動を造形平面１１に対して相対的に（明らかに）９０°より小さいさまざまな角度α、βで可能にし、それをもって角度をもった、すなわち照射角度が９０°より小さい、特に造形平面１１に対して１０°と８０°の間で実施される造形平面１１の照射を可能にする。磁気的滑走構成要素１４の例示的移動はここでも二重矢印で示唆されている。
【００５１】
図６は別の例示的実施形態に沿った装置１の原理図を示している。
【００５２】
これまでの図に示されていた例示的実施形態とは異なり、この平面状固定構成要素部分１７がここでは平面（平ら）には形成されておらず、湾曲しているか若しくはアーチ状であって、それゆえに円蓋状に形成されている。ここでは磁気的滑走構成要素１４の起こり得る移動は、二重矢印Ｐ３で示唆されているように、平面状固定構成要素部分１７の曲げ若しくは湾曲によって定義された弓状若しくは弓形の移動路若しくは移動平面に沿って経過する。磁気的滑走構成要素１４の例示的位置は破線で示されている。
【００５３】
すべての例示的実施形態において、それぞれの平面状固定構成要素部分１７と造形平面１１との間に十分な大きさの距離があり、その結果磁気的固定構成要素１３と磁気的滑走構成要素１４の間の磁気的相互作用が、造形平面１１内で形成された（磁気的若しくは磁気化可能な）造形材料層の品質に（磁気的な）影響を与えないということが肝要である。場合によってはこのために別個の磁気遮断構成要素（示されていない）、例えば適した遮断構造若しくは適した遮断材料からなる、例えば遮断金属板が、造形平面１１を磁気的支承装置１２から磁気的に遮断するために設けられることができる。
【００５４】
さらにすべての例示的実施形態において、平面状固定構成要素部分１７も少なくとも一つの運動の自由度内で、造形平面１１に対して相対的に移動可能に支承され得るということが肝要である。このためにはこの平面状固定構成要素部分１７は、造形平面１１に対して相対的に少なくとも一つの運動の自由度内において移動可能に支承されている保持装置（示されていない）に保持装置で固定されている。相応する保持装置の移動は、少なくとも一つの並進軸に沿った並進的運動の自由度及び／又は少なくとも一つの旋回軸を中心とした旋回的運動の自由度を含んでいることができる。
【００５５】
さらにすべての例示的実施形態において、個々の、複数の又はすべての平面状固定構成要素部分１７はモジュール状に形成されていることができ、この際にこのモジュール状に形成された平面状固定構成要素部分１７は、造形平面１１に対して相対的に前もって定められた少なくとも一つの配置位置で、ハウジング構造部７上に解除可能に取り付けられ得るか又は取り付けられている。このハウジング構造部７は、例えば、さまざまに調整された、例えば幾何的形状、すなわち特に寸法と形を顧慮した、少なくとも一つの平面状固定構成要素部分１７を受け入れるための、挿入可能に形成されている受け入れ装置（示されていない）が設けられていることができる。このようにして、できる限り高い造形部品品質及び／又はできる限り高い造形率を得るために、この装置１を特定の「造形作業」すなわち特定の物体２の積層造形を顧慮して、個々に応じて構成することが可能になる。
【００５６】
図に示された装置１を介して、少なくとも一つのエネルギ光線４を用いて、固化が可能な造形材料３からなる個々の造形材料層を、連続して、層ごとに、選択的に固化することによって、三次元物体２を積層造形するための方法が実現できる。この方法は、選択的レーザ溶融装法（ＳＬＭ法）又は選択的レーザ焼結法（ＳＬＳ法）であることができる。
【００５７】
個々の、複数の又はすべての、特定の例示的実施形態との関連で示された特徴は、少なくとも一つの別の例示的実施形態に転用できる。
以上の開示から以下の付記が提案される。
（付記１）
少なくとも一つのエネルギ光線（４）を用いて、連続して、層ごとに、選択的に照射することによって、またそれに伴う、造形平面（１１）内に形成された、固化が可能な造形材料（３）からなる造形材料層の固化による、三次元物体（２）の積層造形のための装置（１）であって、前記造形平面（１１）へ向けられている、選択的に固化するための造形材料層を選択的に照射するためのエネルギ光線（４）を生成するための少なくとも一つの照射構成要素（１０）を含む、照射装置（９）を含む装置において、少なくとも一つの前記照射構成要素（１０）が、一つの磁気的移動及び支承装置（１２）を用いて、少なくとも一つの運動の自由度内で、前記造形平面（１１）に対して相対的に移動可能に支承されていることを特徴とする装置。
（付記２）
前記磁気的移動及び支承装置（１２）が少なくとも一つの、装置側のハウジング構造部（７）上に配置されているか若しくは形成されている磁気的固定構成要素（１３）と、少なくとも一つの、照射構成要素（１０）の上に配置されているか若しくは形成されている磁気的滑走構成要素（１４）とを含むことを特徴とする付記１に記載の装置。
（付記３）
少なくとも一つの前記磁気的固定構成要素（１３）が、少なくとも一つの、移動軌道若しくは移動平面を定義する平面状固定構成要素部分（１７）を含み、平面状固定構成要素部分が前記造形平面（１１）に対して相対的に平行及び／又は角度をもって方向付けられていることを特徴とする付記２に記載の装置。
（付記４）
前記平面状固定構成要素部分（１７）が少なくとも部分的に、特に完全に、平らな平面状で又は少なくとも部分的に、特に完全に、湾曲しているか若しくはアーチ状に形成されていることを特徴とする付記３に記載の装置。
（付記５）
少なくとも一つの平面状固定構成要素部分（１７）が前記造形平面（１１）に対して相対的に角度をもって方向付けられていて、前記平面状固定構成要素部分（１７）が前記造形平面（１１）の外側寸法を少なくとも部分的に包囲することを特徴とする付記３又は４に記載の装置。
（付記６）
前記造形平面（１１）の外側寸法を少なくとも部分的に、特に完全に一緒に包囲する、前記造形平面（１１）に対して相対的に角度をもって方向付けられている複数の平面状固定構成要素部分（１７）を特徴とする付記５に記載の装置。
（付記７）
少なくとも一つの前記平面状固定構成要素部分（１７）が、保持装置に保持装置で固定されており、前記保持装置が、前記造形平面（１１）に対して相対的に少なくとも一つの運動の自由度内で、移動可能に支承されていることを特徴とする付記３〜６のいずれか一つに記載の装置。
（付記８）
前記平面状固定構成要素部分（１７）がモジュール状に形成されており、このモジュール状に形成された前記平面状固定構成要素部分（１７）は、前記造形平面（１１）に対して相対的に前もって定められた少なくとも一つの配置位置で、装置側のハウジング構造部（７）に解除可能に取り付けられ得るか又は取り付けられていることを特徴とする付記３〜７のいずれか一つに記載の装置。
（付記９）
前記照射装置（９）が複数の照射構成要素（１０）を含み、特定の数量の、特に列状及び／又は欄状に配置されている照射構成要素（１０）が、構造的に少なくとも一つの照射構成要素群（１８、１９）にまとめられていることを特徴とする付記３〜８のいずれか一つに記載の装置。
（付記１０）
照射構成要素（１０）が、レーザダイオード構成要素であるか、又はレーザダイオード構成要素と連結可能か若しくは連結されている、特にレンズ形状の光学構成要素であるか、又は光学的走査装置の一部としての走査構成要素として成されているか、又は上述の要素の少なくとも一つを含むことを特徴とする付記１〜９のいずれか一つに記載の装置。
（付記１１）
少なくとも一つの、前記造形平面（１１）と前記磁気的移動及び支承装置（１２）との間に配置されている、前記造形平面（１１）を前記磁気的移動及び支承装置（１２）から磁気的に遮断するための遮断構成要素を特徴とする付記１〜１０のいずれか一つに記載の装置。
（付記１２）
少なくとも一つのエネルギ光線（４）を用いて、連続して、層ごとに、選択的に照射することによって、またそれに伴う、造形平面（１１）内に形成された、固化が可能な造形材料（３）からなる造形材料層の固化による、三次元物体（２）の積層造形のための方法において、
少なくとも一つの三次元物体（２）の積層造形のために、付記１〜１１のいずれか一つに記載の、少なくとも一つの三次元物体（２）の積層造形のための装置（１）が使用されることを特徴とする方法。
【符号の説明】
【００５８】
１  装置
２  物体
３  造形材料
４  エネルギ光線
５  二重矢印
６  リコータ装置
７  ハウジング構造部
８  プロセスチャンバ
９  照射装置
１０  照射構成要素
１１  造形平面
１２  磁気的支承装置
１３  磁気的固定構成要素
１４  磁気的滑走構成要素
１５  電気エネルギ供給部
１６  電気的接続構成要素
１７  平面状固定構成要素部分
１８  照射構成要素群
１９  照射構成要素群
Ｐ１  二重矢印
Ｐ２  二重矢印
【図１】
2020128593.tif 000003
【図２】
2020128593.tif 000004
【図３】
2020128593.tif 000005
【図４】
2020128593.tif 000006
【図５】
2020128593.tif 000007
【図６】
2020128593.tif 000008
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
少なくとも一つのエネルギ光線（４）を用いて、連続して、層ごとに、選択的に照射することによって、またそれに伴う、造形平面（１１）内に形成された、固化が可能な造形材料（３）からなる造形材料層の固化による、三次元物体（２）の積層造形のための装置（１）であって、前記造形平面（１１）へ向けられている、選択的に固化するための造形材料層を選択的に照射するためのエネルギ光線（４）を生成するための少なくとも一つの照射構成要素（１０）を含む、照射装置（９）を含む装置において、少なくとも一つの前記照射構成要素（１０）が、一つの磁気的移動及び支承装置（１２）を用いて、少なくとも一つの運動の自由度内で、前記造形平面（１１）に対して相対的に移動可能に支承されていることを特徴とする装置。